(57)【要約】【課題】  遊技機において、構造の煩雑化や製造コストの増加、あるいは、長期使用による作動の不具合の発生を極力抑えつつ、遊技媒体の移し替えを可能にする。【解決手段】  遊技機本体１と、この遊技機本体に設けられた遊技媒体払出口１０から払い出される遊技媒体が落下貯留される受け皿１１とを備え、前記受け皿が、前記遊技機本体から所定長さ突出した収納位置と、この収納位置から引き出された引出位置との間で摺動可能に装着されているとともに、前記受け皿の底部に、この受け皿の摺動に伴って開閉される開口部１５が形成されていることを特徴とする。【選択図】        図５
2005073734.tif 000002
【特許請求の範囲】
【請求項１】
払出される遊技媒体が貯留される受皿を備えた遊技機であって、前記受皿は、その一部が遊技機本体に収納される収納位置と、この収納位置から引出された引出位置との間で摺動可能に装着されているとともに、前記受皿の底部に、この受皿の摺動に伴って開閉される開口部が形成されていることを特徴とする遊技機。
【請求項２】
前記遊技機には、前記受皿が前記収納位置にある時に、前記開口部を前記受皿の底部下面から閉塞する閉塞手段が形成され、
前記受皿が前記引出位置にある時に、前記閉塞手段による前記開口部の閉塞状態が解除される
ことを特徴とする請求項１に記載の遊技機。
【請求項３】
前記閉塞手段には、前記受皿が前記収納位置にあるときに前記開口部と嵌合する嵌合突起部が形成され、該嵌合突起部は、前記開口部と嵌合している状態において、該嵌合突起部上面と前記受皿底面とが略一致することを特徴とする請求項２に記載の遊技機。
【請求項４】
前記閉塞手段は、前記遊技媒体を貯留する貯留箱の開口縁部を支持する支持部を有することを特徴とする請求項２又は請求項３に記載の遊技機。
【発明の詳細な説明】
【技術分野】
【０００１】
本発明は、遊技機に係わり、特に、遊技媒体を用いて遊技を行ない、特定の遊技結果が発生した際に、その遊技結果に応じた数の遊技媒体を払い出すようにした遊技機に関するものである。
【背景技術】
【０００２】
従来、遊技媒体を用いて遊技を行ない、特定の遊技結果が発生した際に、その遊技結果に応じた数の遊技媒体を払い出すようにした遊技機として、遊技媒体としてメダルを用いたスロットルマシンや各種ゲームマシン、あるいは、鋼球を用いたパチンコ等が知られている。
【０００３】
これらの遊技機においては、遊技機本体に、遊技媒体の払出口と、この払出口から払い出される遊技媒体を受け止めて貯留する受皿が設けられており、その貯留可能な量は限られている
【０００４】
そして、遊技媒体の貯留量が受皿の許容量を超えた場合、あるいは、遊技終了時に遊技媒体を貯留箱へ移し替える場合には、遊技媒体を、受皿の上方開口から取り出して貯留箱へ移し替えるようにしている（たとえば、特許文献１参照）。
【０００５】
一方、前記受皿から貯留箱へ遊技媒体を移し替える別の方法として、受皿の底部に開口部を設けておくとともに、この開口部を開閉する開閉部材を摺動可能に設けておき、前記開口部の下方に貯留箱を対向させた状態で前記開閉部材を操作して前記開口部を開放することにより、受皿内に貯留されている遊技媒体を貯留箱へ落下させて移し替えるようにした構造も知られている（特許文献２参照）。
【０００６】
【特許文献１】特開平１１−１１４１４１号公報(段落００２４)
【特許文献２】特開平１０−１５１２３８号公報
【発明の開示】
【発明が解決しようとする課題】
【０００７】
本発明は、前述した従来の技術において残されている次のような課題を解決しようとするものである。
【０００８】
すなわち、前者の場合には、遊技媒体の移し替えに際し、この遊技媒体を受皿の開口部から拾い上げて貯留箱に移すという作業を行なわなければならないが、受皿の開口部が狭いために一度に移し替えることのできる量が限られていて、作業が煩雑である。
また、移し替えの最中に、作業者の手が遊技機に触れてしまい、遊技媒体を落としてしまうことがある。
【０００９】
さらに、後者の場合には、開口部を開閉する摺動可能な開閉部材を設けることによる構造の煩雑化を招いてしまう。
【課題を解決するための手段】
【００１０】
そこで、本発明は、前述した課題を解決するためになされたもので、請求項１に記載の遊技機は、払出される遊技媒体が貯留される受皿を備えた遊技機であって、前記受皿は、その一部が遊技機本体に収納される収納位置と、この収納位置から引出された引出位置との間で摺動可能に装着されているとともに、前記受皿の底部に、この受皿の摺動に伴って開閉される開口部が形成されていることを特徴とするものである。
【００１１】
このような構成によれば、遊技者が遊技中には、受皿を収納位置とし、受皿に形成されている開口部を閉塞状態として遊技媒体の貯留を行なうことができる。また、受皿に貯留されている遊技媒体の移し替えあるいは排出する場合には、受皿の前方下側に貯留箱(いわゆるドル箱)を位置させ、前記受皿を遊技機本体から所定距離引き出す。
この操作によって、受皿に形成されている開口部が前記貯留箱の開口面上方へ移動させられると同時に開放され、この開口部を介して前記遊技媒体が受皿の下側に位置させられている貯留箱へ落下し、簡便な操作によって移し替えや排出を確実に行なうことができる。
前記開口部は、受皿の摺動に伴って、その一部が遊技機本体の内部に収納されあるいは引出されることにより開閉されるが、前記開口部が開放されるまでの所定距離を利用して、受皿における遊技媒体(例えばメダル)の貯留量を調節することができる。
【００１２】
また、請求項２に記載の遊技機は、前記受皿が前記収納位置にある時に、前記開口部を前記受皿の底部下面から閉塞する閉塞手段が形成され、前記受皿が前記引出位置にある時に、前記閉塞手段による前記開口部の閉塞状態が解除されることを特徴とする(請求項２に記載の発明)。
このような構成によれば、前記開口部の開閉が、遊技機に形成された閉塞手段によって行なわれ、簡素な構成によって開口部の開閉操作を行なうことができる。
【００１３】
また、請求項３に記載の遊技機は、前記閉塞手段には、前記受皿が前記収納位置にあるときに前記開口部と嵌合する嵌合突起部が形成され、該嵌合突起部は、前記開口部と嵌合している状態において、該嵌合突起部上面と前記受皿底面とが略一致することを特徴とする。
このような構成によれば、前記閉塞手段の嵌合突起部上面と前記受皿底面とが略一致して、受皿の内側底面が略面一となるので、メダル等の遊技媒体を掻き出し易くなっている。
【００１４】
また、請求項４に記載の遊技機の前記閉塞手段は、前記遊技媒体を貯留する貯留箱の開口縁部を支持する支持部を有することを特徴とする。
このような構成によれば、前記支持部に貯留箱の開口縁部を支持させることができるので、受皿から前記開口部を介して下方の貯留箱への遊技媒体の移し替えが容易となる。
【００１５】
なお、前記受皿の底面が、その周縁部から前記開口部へ向かって下降する傾斜面となされていてもよい。
【発明の効果】
【００１６】
このような構成によれば、遊技者が遊技中には、受皿を遊技機本体側へ収納しておくことにより、受皿に形成されている開口部を閉塞状態として遊技媒体の貯留を行なうことができる。
【００１７】
また、受皿に貯留されている遊技媒体の移し替えあるいは排出する場合には、受皿の前方下側に貯留箱(いわゆるドル箱)を位置させた状態で、前記受皿を遊技機本体から所定距離引き出す。
この操作によって、受皿に形成されている開口部が前記貯留箱の開口面上方へ移動させられると同時に開放され、この開口部を介して前記遊技媒体が受皿の下側に位置させられている貯留箱へ落下させられ、簡便な操作によって移し替えや排出を確実に行なうことができる。
【００１８】
そして、前記開口部は、受皿の摺動に伴ってその一部が遊技機本体の内部に収納されあるいは引出されることにより開閉されるが、前記開口部が開放されるまでの所定距離を利用して、受皿における遊技媒体(例えばメダル)の貯留量を調節することができる。
【発明を実施するための最良の形態】
【００１９】
以下、本発明の好適な実施形態について、図面を参照して説明する。
【００２０】
図１中、符号１は、本発明が適用された遊技機としてのスロットマシン(パチスロ機)を示す。
この遊技機（遊技機本体）１は、メダルを遊技媒体として用いる遊技機であり、機器前面の上半部には表示パネル２が設けられており、この表示パネル２の各窓３の内側には、それぞれ回転リール４が配置されて、それぞれの回転リール４に設けられている多数の図柄の内の一部が透視可能となされている。
【００２１】
機器前面の下半部には、腰部パネル５が前面扉６に保持されており、この腰部パネル５の表面には、入賞図柄の組合せ及びメダルの配当枚数等が表示されたり、キャラクター等の絵柄が描かれている。
【００２２】
一方、表示パネル２の下部右側には、遊技を行なうためにメダルを投入するためのメダル投入口７が設けられ、また、表示パネル２の下部前面左側には、遊技開始用のスタートレバー８が設けられ、さらに、表示パネル２の下部前面略中央部には、各回転リール４に対応したストップボタン９が設けられている。
これらのストップボタン９は、遊技者によって押圧操作されることにより、スタートレバー８の操作によって回転を開始した各回転リール４を個々に停止させて、遊技を終了するようになっている。
【００２３】
そして、停止させられた各回転リール４によって各窓３に表示される図柄の組合わせが特定の組み合わせとなった場合に入賞となり、その入賞の種類に応じた枚数のメダルが、前面パネル５の下部に設けられているメダル払出口１０から払い出されるようになっている。
【００２４】
腰部パネル５の下部にはメダル払出口１０から払い出されたメダルを貯留する受皿１１が設けられている。
【００２５】
このように構成された遊技機１は、一般に図２および図３に示すように、遊技ホールに設置されたカウンタＦ上に並列状態で据え付けられて一つの島を構成するようになっている。
【００２６】
受皿１１は、図１に示すような、遊技機１から所定長さ遊技者側へ向けて突出すると共にその一部が遊技機１の内部に収納された状態の収納位置と、図２に示すような、遊技者側へ大きく突出させられた引出位置との２位置間で摺動可能となされている。
【００２７】
すなわち、受皿１１は、図４に示すように、全体として上方が開口された箱形に形成されているとともに、後方の壁部、すなわち、遊技機１側の壁部が除去された形状となされて、この後方部分から、遊技機１へ摺動可能に取り付けられている。
【００２８】
遊技機１の下部前面には、図３に示すように、受皿１１の断面形状と略同一の形状を有する収納孔１３が形成されており、この収納孔１３に、受皿１１が後端側から挿入されることにより、この受皿１１が遊技機１に摺動可能に装着されるようになっている。
【００２９】
また、受皿１１の両側部には、その摺動方向と交差する面を有する段部１４が形成されており(図２参照)、これらの段部１４は、遊技機１の前面に当接させられることによって、受皿１１を前述した収納位置に係止するようになっている。
【００３０】
一方、受皿１１の底部１１０の略中央部分には、図４等に示すように、この底部１１０を上下に貫通する開口部１５が形成されている。
【００３１】
さらに、本実施形態においては、図２および図３に示すように、遊技機１の下部で、収納孔１３の下方に、遊技者側へ向けて所定長さ突出する平板状の閉塞手段１６が形成されている。この閉塞手段１６は、前述した収納位置において開口部１５を閉塞すると共に、収納孔１３に嵌合支持される受皿１１の下面を支持するようになっている。
【００３２】
開口部１５の幅方向(長手方向)のサイズは、図４に示したように、貯留箱Ｘの開口部長手方向(図８参照)の標準的なサイズ以下であればよい。
閉塞手段１６は、受皿１１を奥行方向全長にわたって支持するように形成されている。よって、受皿１１の遊技機１に対する最大引き出し長さ(幅Ｄ)は、この受皿１１に形成されている開口部１５の全体が、閉塞手段１６の先端縁を越えるような長さに設定されている。
【００３３】
ついで、このように構成された本実施形態の作用について説明する。
遊技に際して入賞が発生すると、メダルがメダル払出口１０から受皿１１へ払い出される。
そして、メダルの払出量が増加して、収納位置にある受皿１１の貯留の許容量を越える場合には、この受皿１１を遊技者側に引き出す(例えば図４のＡまで)。
これによって、受皿１１の容積が増えることにより、払い出されるメダルの受け入れがさらに可能となる。
【００３４】
このような受皿１１の貯留量の拡大は、この受皿１１に形成されている開口部１５の前端縁が、受皿１１の下面を支持する閉塞手段１６の前端縁を越えて開口部１５が開口する寸前まで可能であり、したがって、閉塞手段１６の引出長さｄ１分、拡大することができる。
図示例においては、閉塞手段１６の突出長さが、収納位置にある受皿１１の奥行きとほぼ同等となされていることにより、約２倍の貯留量が実現される。
【００３５】
メダルの払い出しがさらに増加して、受皿１１の拡大された貯留量を超える場合には、受皿１１の下部に貯留箱を位置させた状態で、受皿１１をさらに引き出すことにより(例えば図４のＢまで)、図５に示すように、この受皿１１に形成されている開口部１５を、その下方の閉塞手段１６の前端縁よりも遊技者側に位置させる。
【００３６】
このような操作によって、開口部１５が開口されるとともに、受皿１１内のメダルが開口部１５を介して下方の貯留箱へ落下収納される。
したがって、遊技者は、受皿１１を引き出す簡便な操作のみでメダルを貯留箱へ移し替えることができ、また、メダルの不用意な落下も抑制される。
また、受皿１１が引出式のため、メダルを掻き出す手を入れ易いというメリットや、開口部１５が開口される場合には、メダルを一気に貯留箱に移し変えることもできる。
【００３７】
そして、メダルの移し替えを行なう受皿１１の開口部１５は、受皿１１を遊技機１に収納することによって閉塞され、かつ、受皿１１を所定距離遊技機１から引き出すことによって開放される。
すなわち、開口部１５の開閉が、遊技機１自体や固定された閉塞手段１６によって行なわれるものであるから、複雑な開閉手段を必要とせず、簡素な構成によって開口部１５の開閉操作を行なうことができる。
この結果、製造工程の増加や部品の増加が最小限度に止められ、かつ、可動部分が無いことにより、長期にわたって安定した機能を確保することができる。
【００３８】
図６および図７は、本発明の実施形態２を示すもので、受皿１１を支持する閉塞手段２０に変更を加えたものである。
【００３９】
これらの図に示す閉塞手段２０は、受皿１１に形成されている開口部１５の、受皿１１の摺動に伴う移動軌跡上に位置させられているとともに、閉塞手段２０の先端部分には、受皿１１が収納位置に位置させられた状態において、図６に示すように開口部１５と嵌合する嵌合突起部２０aが形成されている。
この嵌合突起部２０aは、受皿１１の開口部１５に嵌合してこの開口部１５を閉塞し、かつ、受皿１１の底面と略面一面を形成する。
【００４０】
また、本実施形態において閉塞手段２０は、図６および図７に示すように、遊技機１に片持ち状に取り付けられて、その自由端側が上下に弾性的に揺動するような弾性体の構造となされている。
【００４１】
詳述すれば、嵌合突起部２０ａは、受皿１１が収納位置に位置させられた状態において開口部１５にその下方から嵌合させられることによって、前述したように、この開口部１５を閉塞し、かつ、この開口部１５の部位における受皿１１の底面の段差を無くし、さらに、前述した嵌合によって、受皿１１を収納位置に係止する機能を備えている。
【００４２】
このように構成された本実施形態においては、受皿１１を収納状態に保持した状態で遊技を行ない、この受皿１１のメダル収納能力以上のメダルの払い出しが行なわれた場合には、受皿１１の下方に貯留箱を位置させた状態で、閉塞手段２０の嵌合突起部２０ａを、たとえば、受皿１１内のメダルを介して下方へ押し下げつつ受皿１１を引き出す。
【００４３】
これによって、開口部１５が開放されるとともに、受皿１１内のメダルが下方の貯留箱へ速やかに移し替えられる。
【００４４】
このように、本実施形態においても前述した実施形態１と同様の作用効果を奏することができる。
【００４５】
なお、前記各実施形態において示した各構成部材の諸形状や寸法等は一例であって、適用する遊技機の種類や設計要求等に基づき種々変更可能である。
たとえば、図８に示すように、実施形態１における閉塞手段１６の先端縁に、メダルの移し替え時に設置される貯留箱Ｘの開口縁部(フランジ)を係止して、この貯留箱Ｘを保持する支持部として係合片２１を設けておくことも可能である。
即ち、受皿１１を収納状態に保持した状態で遊技を行ない(図８のＣ又はＤの位置)、この受皿１１のメダル収納能力以上のメダルの払い出しが行なわれた場合には、図８のＥの位置まで受皿１１を引き出して、係合片２１に係止された貯留箱Ｘにメダルを落下させる。
また、この係合片２１を、実施形態２における閉塞手段２０の下面に設けておくことにより、係合片２１に係止される貯留箱を介して前記閉塞手段２０を下方に押し下げることによって、この閉塞手段２０に設けられている嵌合突起部２０ａと受皿１１に形成されている開口部１５との嵌合状態を解除して、受皿１１の引き出しを可能にして、開口部１５の開放を行なわせることも可能となる。
【００４６】
また、上記各実施形態において、受皿１１を引出したとき、少なくとも１段階で、受皿１１のスライドが規制されるようにしても良い。
例えば、受皿１１の下面を支持する閉塞手段１６の前端縁を越えて開口部１５が開口する寸前で、受皿１１のスライドを規制できるようにしてもよいし、その規制は２段階等でもよい。
また、上記各実施形態において、島カウンタＦが遊技機本体１から突出している場合、その突出端以上に受皿１１の開口部１５を引出すことができるように構成することが望ましい。
また、図９のように、受皿１１の底面が、その周縁部から前記開口部へ向かって下降する傾斜面となるようにしてもよい。
さらに、受皿１１の底部１１０の裏面に車等をつけて引出し易くしてもよい。
【産業上の利用可能性】
【００４７】
本発明は、前述したメダルを遊技媒体として使用するパチスロ機に限られることなく、メダルを用いたゲーム機、あるいは、鋼球を用いたいわゆるパチンコ機へも広く適用可能である。
【図面の簡単な説明】
【００４８】
【図１】本発明の実施形態１が適用された遊技機の外観斜視図である。
【図２】本発明の実施形態１が適用された遊技機の外観斜視図で、受皿を途中まで引き出した状態を示す図である。
【図３】本発明の実施形態１が適用された遊技機の外観斜視図で、受皿を引き抜いた状態を示す図である。
【図４】本発明の実施形態１が適用された受皿の外観斜視図である。
【図５】本発明の実施形態１が適用された遊技機の外観斜視図で、受皿を最大限引き出した状態を示す図である。
【図６】本発明の実施形態２が適用された遊技機の一部を破断した要部の側面図である。
【図７】本発明の実施形態２が適用された遊技機の外観斜視図で、受皿を引き抜いた状態を示す図である。
【図８】本発明の一変形例を示す要部の側面図である。
【図９】本発明の一変形例を示す受皿の斜視図である。
【符号の説明】
【００４９】
１  遊技機                          ２  表示パネル
３  窓                              ４  回転リール
５  化粧パネル                      ６  前面扉
７  メダル投入口                    ８  スタートレバー
９  ストップボタン                  １０  メダル払出口
１１  受皿                          １１０  底部
１２  灰皿                          １３  収納孔
１４  段部                          １５  開口部
１６  閉塞手段                      ２０  閉塞手段
２０ａ  嵌合突起部                  ２１  係合片
Ｆ  カウンタ                        Ｘ  貯留箱
【図１】
2005073734.tif 000003
【図２】
2005073734.tif 000004
【図３】
2005073734.tif 000005
【図４】
2005073734.tif 000006
【図５】
2005073734.tif 000007
【図６】
2005073734.tif 000008
【図７】
2005073734.tif 000009
【図８】
2005073734.tif 000010
【図９】
2005073734.tif 000011